(57)【特許請求の範囲】
【請求項１】
雌形の第１ハウジングと、
前記第１ハウジングを構成し、端子金具を収容するハウジング本体と、
前記第１ハウジングを構成し、前記ハウジング本体に対し包囲するように組み付けられる筒状部材と、
雄形の第２ハウジングと、
前記第２ハウジングに形成され、組付け状態のハウジング本体と前記筒状部材に対し包囲するように嵌合可能なフード部とを備えたコネクタであって、
前記ハウジング本体の外周に形成された受け部と、
前記筒状部材を構成する周壁部に形成され、前記筒状部材が前記ハウジング本体に組み付けられる過程では前記ハウジング本体の外周との干渉により前記周壁部の外周側へ突出するように弾性撓みし、前記筒状部材が前記ハウジング本体に適正に組み付けられた状態では内周側へ弾性復帰して前記受け部に係止する弾性係止部と、
前記弾性係止部の外周に形成され、前記筒状部材と前記ハウジング本体が不正な組付け状態のまま前記フード部と嵌合する過程では、前記フード部との干渉により前記筒状部材を適正な組付け状態に矯正する突部を備えていることを特徴とするコネクタ。
【請求項２】
適正に組み付けられた前記ハウジング本体と前記筒状部材が前記フード部内に嵌合した状態では、前記突部が前記フード部の内周に対し押圧状態で当接することにより、前記第１ハウジングと前記第２ハウジングの相対変位が規制されるようになっていることを特徴とする請求項１記載のコネクタ。
【請求項３】
前記第１ハウジングと前記第２ハウジングが嵌合した状態では、前記弾性係止部の内面のうち前記突部の形成領域が、前記ハウジング本体の外周に当接するようになっていることを特徴とする請求項２記載のコネクタ。
【発明の詳細な説明】
【技術分野】
【０００１】
本発明は、コネクタに関するものである。
【背景技術】
【０００２】
特許文献１には、雌形の第１ハウジングと、嵌合筒部を有する雄形の第２ハウジングとを備えたコネクタが開示されている。第１ハウジングは、端子金具を収容する端子収容筒部と、端子収容筒部を包囲する筒状のフロントホルダとを備えている。フロントホルダは、端子収容筒部に対して前方から取り付けられる。フロントホルダは、端子金具を抜止めする機能等を備えている。
【先行技術文献】
【特許文献】
【０００３】
【特許文献１】特開２０１２−０４３６４９号公報
【発明の概要】
【発明が解決しようとする課題】
【０００４】
フロントホルダを端子収容筒部に取り付けた状態にロックする手段としては、フロントホルダを構成する周壁部に、外周側へ弾性撓み可能な弾性係止部を形成し、この弾性係止部を端子収容筒部の外周の受け部に係止させる構造が考えられる。この係止構造では、フロントホルダを端子収容筒部に取り付ける過程で、弾性係止部が、端子収容筒部の外周との干渉により弾性撓みして周壁部の外周側へ突出する。フロントホルダが端子収容筒部に適正に組み付けられると、弾性係止部が内周側へ弾性復帰して受け部に係止する。
【０００５】
このようにしてフロントホルダが取り付けられた端子収容筒部は、第２ハウジングの嵌合筒部内に嵌合される。フロントホルダの外周と嵌合筒部の内周との間には、嵌合動作が円滑に進むようにするために、寸法公差を考慮してクリアランスが確保されている。そのため、フロントホルダが適正な取付け位置に到達せずに弾性係止部の一部がフロントホルダの周壁部の外周へ突き出した半嵌合状態であるにも拘わらず、端子収容筒部が嵌合筒部内に収容されてしまうことが懸念される。
本発明は上記のような事情に基づいて完成されたものであって、不正に組み付けられるのを防止することを目的とする。
【課題を解決するための手段】
【０００６】
本発明のコネクタは、
雌形の第１ハウジングと、
前記第１ハウジングを構成し、端子金具を収容するハウジング本体と、
前記第１ハウジングを構成し、前記ハウジング本体に対し包囲するように組み付けられる筒状部材と、
雄形の第２ハウジングと、
前記第２ハウジングに形成され、組付け状態のハウジング本体と前記筒状部材に対し包囲するように嵌合可能なフード部とを備えたコネクタであって、
前記ハウジング本体の外周に形成された受け部と、
前記筒状部材を構成する周壁部に形成され、前記筒状部材が前記ハウジング本体に組み付けられる過程では前記ハウジング本体の外周との干渉により前記周壁部の外周側へ突出するように弾性撓みし、前記筒状部材が前記ハウジング本体に適正に組み付けられた状態では内周側へ弾性復帰して前記受け部に係止する弾性係止部と、
前記弾性係止部の外周に形成され、前記筒状部材と前記ハウジング本体が不正な組付け状態のまま前記フード部と嵌合する過程では、前記フード部との干渉により前記筒状部材を適正な組付け状態に矯正する突部を備えているところに特徴を有する。
【発明の効果】
【０００７】
この構成によれば、筒状部材とハウジング本体が不正な組付け状態のままフード部と嵌合する過程では、弾性係止部の外周の突部が、フード部との干渉により筒状部材を適正な組付け状態に位置矯正する。したがって、筒状部材とハウジング本体の組付け状態が不正なままで第１ハウジングと第２ハウジングが嵌合されることを回避できる。
【図面の簡単な説明】
【０００８】
【図１】実施例１のコネクタにおいて、第１ハウジングと第２ハウジングを適正に嵌合した状態をあらわす断面図
【図２】筒状部材とハウジング本体の組付けが不正なままで、第１ハウジングと第２ハウジングを嵌合する過程をあらわす断面図
【図３】第１ハウジングの正面図
【図４】第１ハウジングの断面図
【図５】ハウジング本体の正面図
【図６】筒状部材の斜視図
【図７】筒状部材の正面図
【図８】筒状部材の背面図
【図９】筒状部材の平面図
【図１０】図７のＸ−Ｘ線断面図
【図１１】第２ハウジングの正面図
【発明を実施するための形態】
【０００９】
（１）本発明のコネクタは、
適正に組み付けられた前記ハウジング本体と前記筒状部材が前記フード部内に嵌合した状態では、前記突部が前記フード部の内周に対し押圧状態で当接することにより、前記第１ハウジングと前記第２ハウジングの相対変位が規制されるようになっていてもよい。
この構成によれば、筒状部材とハウジング本体の不正な組付けを矯正するための突部が、第１ハウジングと第２ハウジングの相対変位を規制するガタ詰め手段としての機能も兼ね備える。したがって、第１ハウジングと第２ハウジングの相対変位を規制するためのガタ詰め手段を突部とは別に設ける場合に比べると、第１ハウジングの形状の簡素化を図ることができる。
【００１０】
（２）本発明のコネクタは、（１）の発明において、
前記第１ハウジングと前記第２ハウジングが嵌合した状態では、前記弾性係止部の内面のうち前記突部の形成領域が、前記ハウジング本体の外周に当接するようになっていてもよい。
この構成によれば、ハウジング本体とフード部との間で弾性係止部と突部が挟み付けられるので、第１ハウジングと第２ハウジングの相対変位が確実に防止される。
【００１１】
＜実施例１＞
以下、本発明を具体化した実施例１を図１〜図１１を参照して説明する。本実施例１のコネクタは、雌形の第１ハウジング１０と、雄形の第２ハウジング６０とを備えている。第１ハウジング１０と第２ハウジング６０は、夫々の前面を対向させて接近させるようにして嵌合される。第２ハウジング６０は、前方へ延出するフード部６１を有する。
【００１２】
第１ハウジング１０は、合成樹脂製のハウジング本体１１と、同じく合成樹脂製の筒状部材２０とを組み付けて構成されている。ハウジング本体１１は、ブロック状の端子収容部１２と、端子収容部１２を包囲する筒状嵌合部１３とを一体に形成して構成されている。筒状嵌合部１３は、その後端部において端子収容部１２の外周に連なっている。端子収容部１２の外周と筒状嵌合部１３の内周との間の筒状の空間は、第１ハウジング１０の前面に開放された形態であって後述するフード部６１を嵌入させるための嵌合空間１４となっている。
【００１３】
端子収容部１２内には複数の端子収容室１５が形成され、各端子収容室１５には、後方から複数の雌端子金具４０（請求項に記載の端子金具）が挿入されている。挿入された雌端子金具４０は、端子収容室１５の内壁に沿って形成したランス１６の係止作用により抜止めされている。端子収容部１２の外面のうち嵌合空間１４に臨む上面には、凹んだ形体の受け部１７が形成されている。また、嵌合空間１４内には、端子収容部１２の外周における後端部に外嵌された状態でシールリング５０が取りつけられている。
【００１４】
筒状部材２０は、前壁部２１と、前壁部２１の外周縁から後方へ片持ち状に延出する周壁部２２とを一体に形成して構成されている。筒状部材２０は、ハウジング本体１１に対しその前方から組み付けられる。組付け状態では、前壁部２１が端子収容部１２の前端面を覆うとともに、周壁部２２が端子収容部１２を包囲する。端子収容部１２の外面における筒状部材２０の組付け領域は、シールリング５０の取付け領域よりも前方の範囲である。したがって、筒状部材２０はシールリング５０が端子収容部１２から前方へ離脱するためのストッパとしての機能を備える。
【００１５】
また、前壁部２１には、後方（周壁部２２の内側）へ片持ち状に延出する撓み規制部２３が形成されている。撓み規制部２３は、ランス１６の撓み空間１８に進入し、ランス１６が雌端子金具４０との係止を解除する方向へ弾性変形することを規制する。したがって、筒状部材２０は、ランス１６と協動して雌端子金具４０を確実に抜止めする機能も兼ね備える。
【００１６】
周壁部２２には、筒状部材２０を端子収容部１２に対し組付け状態にロックするための手段として、弾性係止部２４が形成されている。周方向における弾性係止部２４の形成位置は、ハウジング本体１１の受け部１７と対応する位置、つまり周壁部２２のうちの上壁部２５である。上壁部２５における幅方向中央部には、上壁部２５の前端側部分を除去した形態の前側切欠部２６と、上壁部２５の後端側部分を除去した形態の後側切欠部２７とが形成されている。そして、上壁部２５のうち前側切欠部２６と後側切欠部２７との間の除去せずに残した部分が、弾性係止部２４となっている。
【００１７】
弾性係止部２４は、その前側領域の支点部２９を略中心として、上下方向（つまり、ハウジング本体１１に対する筒状部材２０の組付け方向と交差する方向）へ弾性撓み可能となっている。したがって、弾性係止部２４が弾性撓みするときには、弾性係止部２４の変位量は後端部において最大となる。弾性係止部２４が弾性撓みしていない自由状態であるとき、支点部２９の外面（上面）は、ハウジング本体１１に対する筒状部材２０の組付け方向（前後方向）と平行をなしている。弾性係止部２４が上方（周壁部２２の外面側）へ弾性撓みするときは、支点部２９の外面が後方に向かって上り勾配となるように傾斜し、弾性係止部２４の後端部が最も高くなる。
【００１８】
弾性係止部２４の後端部には、その内面（下面）から周壁部２２の内側へ突出する係止突起３０が形成されている。前後方向における係止突起３０の形成領域は、支点部２９よりも後方である。弾性係止部２４の支点部２９には、その外面から上方へ突出する突部３１が形成されている。前後方向における突部３１の形成領域は、係止突起３０よりも前方の範囲である。弾性係止部２４が弾性撓みしていない状態において、突部３１の上面は、筒状部材２０とハウジング本体１１の組付け方向と平行であり、且つ第１ハウジング１０と第２ハウジング６０の嵌合方向と平行である。また、突部３１の前面は、前後方向に対して傾斜した誘導面３２となっている。
【００１９】
次に、本実施例の作用を説明する。第１ハウジング１０においては、第２ハウジング６０との嵌合を行う前に、端子収容部１２に雌端子金具４０を収容し、その後、筒状部材２０をハウジング本体１１に組み付ける。図２に示すように、筒状部材２０をハウジング本体１１に組み付ける過程（つまり、筒状部材２０とハウジング本体１１の組付けが不正な状態）では、係止突起３０が端子収容部１２の上面と干渉することにより、弾性係止部２４が上方へ弾性撓みする。このとき、突部３１を含む弾性係止部２４の一部が、上壁部２５（周壁部２２）の外面よりも上方へ突出する。
【００２０】
筒状部材２０がハウジング本体１１に対して適正に組み付けられると、弾性係止部２４が内周側（下方）へ弾性復帰し、係止突起３０が受け部１７に係止する。この係止作用により、筒状部材２０とハウジング本体１１が適正な組付け状態にロックされる。また、筒状部材２０がハウジング本体１１に組み付けられると、撓み規制部２３が撓み空間１８に進入して、ランス１６が雌端子金具４０から解離することを規制する。もし、雌端子金具４０の挿入が不適正である場合には、撓み空間１８内に弾性変位したランス１６に撓み規制部２３が突き当たるので、雌端子金具４０の挿入不良を検知できる。
【００２１】
筒状部材２０をハウジング本体１１に組み付けた後は、端子収容部１２と筒状部材２０をフード部６１内に進入させるとともに、筒状嵌合部１３をフード部６１に外嵌するようにして両ハウジング１０，６０を嵌合する。嵌合過程では、突部３１がフード部６１の内周に押圧状態で摺接する。また、嵌合が完了した状態でも、突部３１がフード部６１の内周に押圧状態で当接する。この突部３１の押圧状態での当接により、ガタ詰め機能が発揮され、両ハウジング１０，６０は、嵌合方向と交差する上下方向及び左右方向への相対変位を規制される。
【００２２】
また、突部３１によってガタ詰めされた状態では、弾性係止部２４の内面のうち突部３１の形成されている領域（支点部２９の内面）が、端子収容部１２の外周に当接するようになっている。これにより、弾性係止部２４が端子収容部１２の外面とフード部６１の内面との間で挟み付けられることになるので、両ハウジング１０，６０の相対変位が確実に防止される。尚、周壁部２２の外周には、周方向に間隔を空けた複数位置に、前後方向の延びるリブ３３が形成されている。そして、これらのリブ３３が、フード部６１の内周に対し、上下方向又は左右方向に押圧状態で当接している。これらのリブ３３も、突部３１と同様、両ハウジング１０，６０間をガタ詰めする機能を発揮する。
【００２３】
また、筒状部材２０とハウジング本体１１の組付けが不適正のままで両ハウジング１０，６０の嵌合を行った場合は、不正な組付け状態が矯正される。即ち、筒状部材２０とハウジング本体１１の組付けが不正の場合には、図２に示すように、弾性係止部２４の後端部と突部３１が、周壁部２２の外面（上面）へ突出する。したがって、この状態で端子収容部１２と筒状部材２０をフード部６１に嵌入しようとすると、突部３１がフード部６１の内周前端縁と干渉する。
【００２４】
この状態から、両ハウジング１０，６０の嵌合を進めると、突部３１が、フード部６１によって後方へ押される。この押し作用により、筒状部材２０が、端子収容部１２に対し相対的に後方へ変位する。筒状部材２０は、端子収容部１２に対して前方から組み付けられるので、後方へ相対変位することにより適正な組付位置へ押し動かされる。そして、筒状部材２０がハウジング本体１１に対し適正な組付位置に到達すると、図１に示すように、弾性係止部２４が弾性復帰し、係止突起３０が受け部１７に係止する。これにより、筒状部材２０とハウジング本体１１が適正に組み付けられた状態にロックされる。
【００２５】
本実施例のコネクタは、筒状部材２０を構成する周壁部２２に弾性係止部２４を形成している。弾性係止部２４は、筒状部材２０がハウジング本体１１に組み付けられる過程でハウジング本体１１の外周との干渉により周壁部２２の外周側へ突出するように弾性撓みする。また、弾性係止部２４は、筒状部材２０がハウジング本体１１に適正に組み付けられると内周側へ弾性復帰して受け部１７に係止する。そして、弾性係止部２４の外周には、筒状部材２０とハウジング本体１１が不正な組付け状態のままフード部６１と嵌合する過程で、フード部６１と干渉することにより筒状部材２０を適正な組付け状態に矯正する突部３１が形成されている。この構成によれば、筒状部材２０とハウジング本体１１が不正な組付け状態のままフード部６１と嵌合する過程では、弾性係止部２４の外周の突部３１が、フード部６１との干渉により筒状部材２０を適正な組付け状態に位置矯正する。したがって、筒状部材２０とハウジング本体１１の組付け状態が不正なままで両ハウジング１０，６０が嵌合されることを回避できる。
【００２６】
また、本実施例のコネクタは、適正に組み付けられたハウジング本体１１と筒状部材２０がフード部６１内に嵌合した状態では、突部３１がフード部６１の内周に対し押圧状態で当接することにより、両ハウジング１０，６０の相対変位が規制されるようになっている。このように、筒状部材２０とハウジング本体１１の不正な組付けを矯正するための突部３１が、両ハウジング１０，６０の相対変位を規制するガタ詰め手段としての機能も兼ね備えている。したがって、突部３１とは別に、両ハウジング１０，６０の相対変位を規制するための専用のガタ詰め手段を設ける場合に比べると、本実施例は、第１ハウジング１０の形状の簡素化を図ることができる。
【００２７】
＜他の実施例＞
本発明は上記記述及び図面によって説明した実施例に限定されるものではなく、例えば次のような実施例も本発明の技術的範囲に含まれる。
（１）上記実施例では、第１ハウジングと第２ハウジングが嵌合した状態で、弾性係止部の内面のうち突部の形成領域がハウジング本体の外周に当接するようにしたが、弾性係止部の内面のうちハウジング本体の外周に当接する領域は、突部の形成領域と非対応の範囲に設定されていてもよい。
（２）上記実施例では、突部が、第１ハウジングと第２ハウジングの相対変位を規制するガタ詰め手段としての機能も兼ね備えるようにしたが、突部がガタ詰め手段としの機能を備えない形態であってもよい。
（３）上記実施例では、突部を弾性係止部の弾性撓みの支点となる領域に配したが、突部は、弾性係止部の弾性撓みの支点から外れた領域、即ち、弾性変形する領域に形成してもよい。
【符号の説明】
【００２８】
１０…第１ハウジング
１１…ハウジング本体
１７…受け部
２０…筒状部材
２２…周壁部
２４…弾性係止部
３１…突部
４０…雌端子金具（端子金具）
６０…第２ハウジング
６１…フード部
【図１】
0005987795.tif 000002
【図２】
0005987795.tif 000003
【図３】
0005987795.tif 000004
【図４】
0005987795.tif 000005
【図５】
0005987795.tif 000006
【図６】
0005987795.tif 000007
【図７】
0005987795.tif 000008
【図８】
0005987795.tif 000009
【図９】
0005987795.tif 000010
【図１０】
0005987795.tif 000011
【図１１】
0005987795.tif 000012